(57)【要約】【課題】電子番組表に掲載される放送チャンネルの新設等に対応する。【解決手段】ステップ〔１〕で書き換えデータが有るか否か判断され、無いとき（Ｎｏ）は、そのままステップ〔２〕で他の処理が行われて終了される。これに対して、ステップ〔１〕で書き換えデータが有るとき（Ｙｅｓ）は、ステップ〔３〕でメモリ領域に設けられるテーブルの書き換えが行われる。なおこの書き換えには各種のデータが含まれるが、その一環として、上述の放送チャンネルから受信チャンネルへの読み替えのためのテーブルが含まれる。このようにして、放送チャンネルから受信チャンネルへの読み替えのためのテーブルの書き換えが行われ、例えば電子番組表を用いて記録される所望の番組の放送時間帯と放送チャンネル等が設定されたときには、この設定に応じた放送チャンネルから読み替えられた受信チャンネルに従って選局等の制御が行われる。【選択図】        図３
2004336685.tif 000002
【特許請求の範囲】
【請求項１】
電子番組表を取得し、前記取得された電子番組表を用いて所望の番組の放送時刻及び放送チャンネルを抽出し、前記抽出された放送時刻及び放送チャンネルの番組を受信する番組受信装置であって、
前記電子番組表上の放送チャンネルのコードと前記受信のための受信チャンネルのコードとを読み替えるテーブルが設けられると共に、
外部の情報ネットワークに接続する手段と、
前記接続される情報ネットワーク上の所定のサーバに所定の時間ごとにアクセスして前記サーバに書き込まれた情報に従って内部の制御を行う手段と、
前記電子番組表上の放送チャンネルのコードの新設及び／または変更が生じた場合には、前記接続される情報ネットワーク上の所定のサーバにアクセスして前記テーブルの書き換えを行う手段と
を備えることを特徴とする番組受信装置。
【請求項２】
請求項１記載の番組受信装置において、
前記電子番組表には複数の形式が含まれ、
前記テーブルは前記電子番組表の形式に対応して設けられると共に、
前記電子番組表上の放送チャンネルのコードの新設及び／または変更が生じた場合には、少なくとも対応する形式の前記テーブルの書き換えを行う
ことを特徴とする番組受信装置。
【請求項３】
請求項１記載の番組受信装置において、
前記電子番組表は、任意の前記放送チャンネルの放送信号に重畳されて伝送されるものと、前記情報ネットワーク上の所定のサーバから伝送されるものの１つ以上を含む
ことを特徴とする番組受信装置。
【請求項４】
電子番組表を取得し、前記取得された電子番組表を用いて所望の番組の放送時刻及び放送チャンネルを抽出し、前記抽出された放送時刻及び放送チャンネルの番組を受信する番組受信方法であって、
前記電子番組表上の放送チャンネルのコードと前記受信のための受信チャンネルのコードとを読み替えるテーブルが設けられ、
外部の情報ネットワークに接続し、
前記接続される情報ネットワーク上の所定のサーバに所定の時間ごとにアクセスして前記サーバに書き込まれた情報に従って内部の制御を行うと共に、
前記電子番組表上の放送チャンネルのコードの新設及び／または変更が生じた場合には、前記接続される情報ネットワーク上の所定のサーバにアクセスして前記テーブルの書き換えを行う
ことを特徴とする番組受信方法。
【請求項５】
請求項４記載の番組受信方法において、
前記電子番組表には複数の形式が含まれ、
前記テーブルは前記電子番組表の形式に対応して設けられると共に、
前記電子番組表上の放送チャンネルのコードの新設及び／または変更が生じた場合には、少なくとも対応する形式の前記テーブルの書き換えを行う
ことを特徴とする番組受信方法。
【請求項６】
請求項４記載の番組受信方法において、
前記電子番組表は、任意の前記放送チャンネルの放送信号に重畳されて伝送されるものと、前記情報ネットワーク上の所定のサーバから伝送されるものの１つ以上を含む
ことを特徴とする番組受信方法。
【請求項７】
電子番組表を取得し、前記取得された電子番組表を用いて所望の番組の放送時刻及び放送チャンネルを抽出し、前記抽出された放送時刻及び放送チャンネルの番組を受信して記録する番組記録装置であって、
前記電子番組表上の放送チャンネルのコードと前記受信のための受信チャンネルのコードとを読み替えるテーブルが設けられると共に、
外部の情報ネットワークに接続する手段と、
前記接続される情報ネットワーク上の所定のサーバに所定の時間ごとにアクセスして前記サーバに書き込まれた情報に従って内部の制御を行う手段と、
前記電子番組表上の放送チャンネルのコードの新設及び／または変更が生じた場合には、前記接続される情報ネットワーク上の所定のサーバにアクセスして前記テーブルの書き換えを行う手段と
を備えることを特徴とする番組記録装置。
【請求項８】
請求項７記載の番組記録装置において、
前記電子番組表には複数の形式が含まれ、
前記テーブルは前記電子番組表の形式に対応して設けられると共に、
前記電子番組表上の放送チャンネルのコードの新設及び／または変更が生じた場合には、少なくとも対応する形式の前記テーブルの書き換えを行う
ことを特徴とする番組記録装置。
【請求項９】
請求項７記載の番組記録装置において、
前記電子番組表は、任意の前記放送チャンネルの放送信号に重畳されて伝送されるものと、前記情報ネットワーク上の所定のサーバから伝送されるものの１つ以上を含む
ことを特徴とする番組記録装置。
【請求項１０】
電子番組表を取得し、前記取得された電子番組表を用いて所望の番組の放送時刻及び放送チャンネルを抽出し、前記抽出された放送時刻及び放送チャンネルの番組を受信するための情報を処理する情報処理装置であって、
前記電子番組表上の放送チャンネルのコードと前記受信のための受信チャンネルのコードとを読み替えるテーブルが設けられると共に、
外部の情報ネットワークに接続する手段と、
前記接続される情報ネットワーク上の所定のサーバに所定の時間ごとにアクセスして前記サーバに書き込まれた情報に従って内部の制御を行う手段と、
前記電子番組表上の放送チャンネルのコードの新設及び／または変更が生じた場合には、前記接続される情報ネットワーク上の所定のサーバにアクセスして前記テーブルの書き換えを行う手段と
を備えることを特徴とする情報処理装置。
【請求項１１】
請求項１０記載の情報処理装置において、
前記電子番組表には複数の形式が含まれ、
前記テーブルは前記電子番組表の形式に対応して設けられると共に、
前記電子番組表上の放送チャンネルのコードの新設及び／または変更が生じた場合には、少なくとも対応する形式の前記テーブルの書き換えを行う
ことを特徴とする情報処理装置。
【請求項１２】
請求項１０記載の情報処理装置において、
前記電子番組表は、任意の前記放送チャンネルの放送信号に重畳されて伝送されるものと、前記情報ネットワーク上の所定のサーバから伝送されるものの１つ以上を含む
ことを特徴とする情報処理装置。
【請求項１３】
電子番組表を取得し、前記取得された電子番組表を用いて所望の番組の放送時刻及び放送チャンネルを抽出し、前記抽出された放送時刻及び放送チャンネルの番組を受信する装置を対象とする情報提供システムであって、
前記装置には前記電子番組表上の放送チャンネルのコードと前記受信のための受信チャンネルのコードとを読み替えるテーブルが設けられ、
情報ネットワーク上に前記テーブルの書き換えを行うための情報を提供する所定のサーバを設置し、
前記電子番組表上の放送チャンネルのコードの新設及び／または変更が生じた場合には、前記情報ネットワーク上の所定のサーバにアクセスして前記テーブルの書き換えを行う
ことを特徴とする情報提供システム。
【請求項１４】
請求項１３記載の情報提供システムにおいて、
前記電子番組表には複数の形式が含まれ、
前記テーブルは前記電子番組表の形式に対応して設けられると共に、
前記電子番組表上の放送チャンネルのコードの新設及び／または変更が生じた場合には、少なくとも対応する形式の前記テーブルの書き換えを行う
ことを特徴とする情報提供システム。
【請求項１５】
請求項１３記載の情報提供システムにおいて、
前記電子番組表は、任意の前記放送チャンネルの放送信号に重畳されて伝送されるものと、前記情報ネットワーク上の所定のサーバから伝送されるものの１つ以上を含む
ことを特徴とする情報提供システム。
【発明の詳細な説明】
【０００１】
【発明の属する技術分野】
本発明は、電子番組表（ＥＰＧ）を利用して所望の放送番組の受信及び／または記録を行う装置に使用して好適な番組受信装置、番組受信方法、番組記録装置、情報処理装置及び情報提供システムに関する。詳しくは、電子番組表上の放送チャンネルのコードと受信のための受信チャンネルのコードとの読み替えが良好に行われるようにするものである。
【０００２】
【従来の技術】
従来の番組受信装置で、電子番組表を取得し、この電子番組表を用いて所望の番組を受信する装置は知られている（例えば、特許文献１参照。）。
また、ユーザーの視聴履歴情報からユーザーの好みの番組を推定して、番組を受信しているものもある（例えば、特許文献２参照。）。
【０００３】
【特許文献１】
特開２０００−４１０６６号公報
【特許文献２】
特開２００２−１５２６３９号公報
【０００４】
【発明が解決しようとする課題】
例えばハードディスクを内蔵して放送番組の記録を行う装置において、電子番組表を取得し、取得された電子番組表を用いて所望の番組の放送時間帯と放送チャンネルを設定し、所望の番組を受信・記録することが行われている。このような電子番組表において、番組の放送チャンネルを示すコードには独自のものが用いられ、このような電子番組表を利用する装置の受信チャンネルは、そのコードに対応したものにする必要があった。
【０００５】
ところが上述の電子番組表として、従来の任意の放送チャンネルの放送信号に重畳されて伝送されるものの他に、例えば情報ネットワーク上の所定のサーバから伝送されるものが利用されるようになってきている。その場合に、このような情報ネットワーク上のサーバから伝送される電子番組表においては、番組の放送チャンネルを示すコードに、さらに独自のものが用いられているものである。
【０００６】
このため、従来の放送信号に重畳されて伝送される電子番組表の放送チャンネルのコードに対応しているだけでは、上述の情報ネットワーク上のサーバから伝送される電子番組表には対応できないものになってしまう。また、電子番組表に掲載される放送チャンネルの新設などによって、コードの新設や変更が生じる場合もある。さらにこのような電子番組表の、情報ネットワーク上のサーバそのものについても、新設や変更されることを考慮する必要がある。
【０００７】
この出願はこのような点に鑑みて成されたものであって、解決しようとする問題点は、従来の装置では、放送信号に重畳されて伝送される電子番組表だけに対応してその他の電子番組表には対応できないものがあり、また、その他の電子番組表に対応している場合であっても、電子番組表に掲載される放送チャンネルの新設や、電子番組表のサーバそのものの新設などに対しては、対応することができなかったというものである。
【０００８】
【課題を解決するための手段】
このため本発明においては、電子番組表上の放送チャンネルのコードと受信のための受信チャンネルのコードとを読み替えるテーブルを設け、このテーブルを情報ネットワーク上の所定のサーバにアクセスして書き換えるようにしたものであって、これによれば、電子番組表に掲載される放送チャンネルの新設や、電子番組表のサーバそのものの新設などに対しても、容易に対応することができる。
【０００９】
【発明の実施の形態】
すなわち本発明は、電子番組表を取得し、取得された電子番組表を用いて所望の番組の放送時刻及び放送チャンネルを抽出し、抽出された放送時刻及び放送チャンネルの番組を受信するようにした番組受信装置、番組受信方法、番組記録装置、情報処理装置及び情報提供システムであって、電子番組表上の放送チャンネルのコードと受信のための受信チャンネルのコードとを読み替えるテーブルが設けられ、外部の情報ネットワークに接続し、接続される情報ネットワーク上の所定のサーバに所定の時間ごとにアクセスしてサーバに書き込まれた情報に従って内部の制御を行うと共に、電子番組表上の放送チャンネルのコードの新設及び／または変更が生じた場合には、接続される情報ネットワーク上の所定のサーバにアクセスしてテーブルの書き換えを行うものである。
【００１０】
以下、図面を参照して本発明を説明するに、図１は本発明による番組受信装置、番組受信方法、番組記録装置、情報処理装置及び情報提供システムを適用した番組記録装置及び情報提供システムの一実施形態を示すブロック図である。
【００１１】
図１において、この実施形態に示される番組記録装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。
【００１２】
また、いわゆる衛星（ＣＳ）放送の受信アンテナ（以下、衛星アンテナと略称する）３０からの受信信号が、外付けの衛星放送の受信チューナ（以下、ＣＳチューナと略称する）３１に供給され、受信復調されたデジタルデータ信号と、さらにデコードされたアナログテレビジョン信号が取り出される。
【００１３】
さらに、外付けのＣＳチューナ３１から取り出されるアナログテレビジョン信号が、番組記録装置１０のアナログ入力端子１２に供給されると共に、ＣＳチューナ３１から取り出されるデジタルデータ信号が、番組記録装置１０のデータ入力端子１３に供給される。
【００１４】
そして、データ入力端子１３に供給されるデジタルデータ信号が、制御ＣＰＵ（Ｃｅｎｔｒａｌ  Ｐｒｏｃｅｓｓｉｎｇ  Ｕｎｉｔ）２に供給され、例えばデジタルデータ信号中に含まれる電子番組表（Ｅｌｅｃｔｒｉｃ  ＰｒｏｇｒａｍＧｕｉｄｅ：以下、ＥＰＧと略称する）のデータが取得されて、電子番組表が形成される。
【００１５】
また、番組記録装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータについても電子番組表が形成される。
【００１６】
さらに制御ＣＰＵ２には、いわゆる情報ネットワークとしてのインターネット１００等に接続するための手段が設けられる。そしてこのインターネット１００を通じて所定のウェブサーバ２００や、任意のポーリングサーバ３００に接続される。
【００１７】
ここでウェブサーバ２００には、例えば他の電子番組表となるＥＰＧのデータが設けられているものである。また、ポーリングサーバ３００には、例えば外部の情報ネットワークを通じて装置の制御を行うための情報が設けられる。これにより、ユーザーは、例えば出先から予約録画の設定等を行うことができる。
【００１８】
また、制御ＣＰＵ２では、ＣＳチューナ３１からのデジタルデータ信号中に含まれるＥＰＧのデータ、地上波のアナログテレビジョン信号に重畳されたＥＰＧのデータ、及びインターネット１００を通じて伝送されるＥＰＧのデータの、それぞれによる電子番組表が形成される。
【００１９】
さらに、例えばこのようにして形成される電子番組表を用いて、記録される所望の番組の放送時間帯と放送チャンネル等が設定される。そしてこの設定に応じて記録手段となるハードディスク装置３が駆動されると共に、内蔵の地上波チューナ１及び外付けのＣＳチューナ３１に対して選局等の制御が行われる。
【００２０】
そしてこの場合に、地上波チューナ１及びＣＳチューナ３１に対して選局の制御を行うための受信チャンネルが、上述の放送チャンネルからの読み替えによって形成され、その読み替えのためのテーブルが制御ＣＰＵ２の中に設けられる。すなわちこのようなテーブルは、制御ＣＰＵ２のメモリ領域２１に設けられる。
【００２１】
ここでテーブルは、例えば図２に示すように、受信チャンネルに対して、第１の電子番組表（ＥＰＧ１）の放送チャンネルと、第２の電子番組表（ＥＰＧ２）の放送チャンネルとが関連して設けられる。そして各電子番組表の放送チャンネルを指定することにより、対応する受信チャンネルが読み出されるものである。
【００２２】
さらに、この制御ＣＰＵ２のメモリ領域２１に設けられるテーブルに対して、インターネット１００を通じて任意のポーリングサーバ３００がアクセスされることにより、必要に応じて書き換えが行われる。すなわちアクセス時にポーリングサーバ３００側に書き換えデータがある場合に、書き換えが行われる。
【００２３】
なお、このようなポーリングサーバ３００へのアクセスは、予め決められた時間間隔で、自動的に行われるものである。そしてアクセスが行われると、例えば図３に示すように、ステップ〔１〕で書き換えデータが有るか否か判断され、無いとき（Ｎｏ）は、そのままステップ〔２〕で他の処理が行われて終了される。
【００２４】
これに対して、ステップ〔１〕で書き換えデータが有るとき（Ｙｅｓ）は、ステップ〔３〕でメモリ領域２１に設けられるテーブルの書き換えが行われる。なおこの書き換えには各種のデータが含まれるが、その一環として、上述の放送チャンネルから受信チャンネルへの読み替えのためのテーブルが含まれる。
【００２５】
このようにして、例えば電子番組表を用いて記録される所望の番組の放送時間帯と放送チャンネル等が設定され、この設定に応じて記録手段となるハードディスク装置３が駆動されると共に、上述の読み替えられた受信チャンネルに従って地上波チューナ１及びＣＳチューナ３１に対して選局等の制御が行われる。
【００２６】
これによって、内蔵の地上波チューナ１及び外付けのＣＳチューナ３１で、受信復調及びデコードされたテレビジョン信号の映像信号及び音声信号等がハードディスク装置３に記録される。なお、ハードディスク装置３での記録再生に当っては、周知のＡ／Ｄ、Ｄ／Ａ変換等が行われるが、図示は省略する。
【００２７】
さらに、ハードディスク装置３に記録されたテレビジョン信号の映像信号及び音声信号等が、制御ＣＰＵ２の制御に従って再生され、混合器４を通じて出力端子１４に取り出される。そして出力端子１４に取り出された信号は、受像機４０に供給されて、映像信号の表示及び音声信号の放音等が行われる。
【００２８】
また、制御ＣＰＵ２で形成された電子番組表の画像や、その他の操作ガイドの画像が、混合器４に供給され、ハードディスク装置３から再生される映像信号に重畳される。これにより、これらの電子番組表や操作ガイド等の画像は、受像機４０で受像される映像信号の画面に重畳して表示される。
【００２９】
これらの電子番組表や操作ガイド等の画像を見ながら、あるいは見ずに、リモートコントロール装置５０を用いて、番組記録装置１０の制御が行われる。なお、制御は、リモートコントロール装置５０からの信号がリモートコントロール受信機１５で受信され、その受信信号が制御ＣＰＵ２に供給されて行われる。
【００３０】
そして、このような番組記録装置１０において、ＥＰＧのデータが取得されて電子番組表が形成されると、例えば図４のＡに示すような電子番組表の画像が受像機４０に表示される。すなわち図４のＡでは、画面の右側の上部に日付と時刻が表示されると共に、任意の放送局（チャンネル）のその時刻以降の番組が表示される。
【００３１】
また、画面の左側には任意のコマーシャルメッセージと、現在選択されているチャンネルの受信信号の画像が表示されている。さらに画面の下部には、カーソルで選択されている番組の解説と、例えばリモートコントロール装置５０での操作のガイドが表示される。なお、番組の解説はＥＰＧのデータの一部である。
【００３２】
すなわち、例えばリモートコントロール装置５０に設けられる上下左右のカーソルキー（図示せず）を操作することにより、この画面上で左右の矢印の示されている放送局（チャンネル）と、上下の矢印の示されている番組の選択を行うことができる。そして決定キーの操作で所望の番組の選択が決定される。
【００３３】
さらに所望の番組の選択が決定されると、画面は図４のＢに示すように変化される。この図４のＢでは、選択された所望の番組の欄から、いわゆる吹き出しによって「予約録画」「取り消し」「選局」「閉じる」の制御項目が表示される。そして上下のカーソルキー及び決定キーの操作で制御項目が決定される。
【００３４】
ここで、「予約録画」が決定されると、例えば図５に示すような予約に関わる設定を行うための画像が受像機４０に表示される。すなわち図５では、選択された番組のタイトルと、その放送の日時（放送時間帯）、放送チャンネルが表示され、さらに使用者（ユーザー）の設定項目が表示される。
【００３５】
この使用者（ユーザー）の設定項目としては、「ＨＱ」「ＳＰ」「ＥＰ」等の記録（画質）モードの選択と、保存期間の設定が行われる。さらにこれらの設定が行われた後に、決定キーが操作されることで録画の予約が行われる。
【００３６】
従ってこの実施形態において、電子番組表上の放送チャンネルのコードと受信のための受信チャンネルのコードとを読み替えるテーブルを設け、このテーブルを情報ネットワーク上の所定のサーバにアクセスして書き換えるようにしたことによって、電子番組表に掲載される放送チャンネルの新設や、電子番組表のサーバそのものの新設などに対しても、容易に対応することができる。
【００３７】
これによって、従来の装置では、放送信号に重畳されて伝送される電子番組表だけに対応してその他の電子番組表には対応できないものがあり、また、その他の電子番組表に対応している場合であっても、電子番組表に掲載される放送チャンネルの新設や、電子番組表のサーバそのものの新設などに対しては、対応することができなかったものを、本発明によればこれらの問題点を容易に解消することができるものである。
【００３８】
こうして上述の番組受信装置によれば、電子番組表上の放送チャンネルのコードと受信のための受信チャンネルのコードとを読み替えるテーブルが設けられると共に、外部の情報ネットワークに接続する手段と、接続される情報ネットワーク上の所定のサーバに所定の時間ごとにアクセスしてサーバに書き込まれた情報に従って内部の制御を行う手段と、電子番組表上の放送チャンネルのコードの新設及び／または変更が生じた場合には、接続される情報ネットワーク上の所定のサーバにアクセスしてテーブルの書き換えを行う手段とを備えることにより、電子番組表に掲載される放送チャンネルの新設や、電子番組表のサーバそのものの新設などに対しても、容易に対応することができるものである。
【００３９】
また、上述の番組受信方法によれば、電子番組表上の放送チャンネルのコードと受信のための受信チャンネルのコードとを読み替えるテーブルが設けられ、外部の情報ネットワークに接続し、接続される情報ネットワーク上の所定のサーバに所定の時間ごとにアクセスしてサーバに書き込まれた情報に従って内部の制御を行うと共に、電子番組表上の放送チャンネルのコードの新設及び／または変更が生じた場合には、接続される情報ネットワーク上の所定のサーバにアクセスしてテーブルの書き換えを行うことにより、電子番組表に掲載される放送チャンネルの新設や、電子番組表のサーバそのものの新設などに対しても、容易に対応することができるものである。
【００４０】
さらに上述の番組記録装置によれば、電子番組表上の放送チャンネルのコードと受信のための受信チャンネルのコードとを読み替えるテーブルが設けられると共に、外部の情報ネットワークに接続する手段と、接続される情報ネットワーク上の所定のサーバに所定の時間ごとにアクセスしてサーバに書き込まれた情報に従って内部の制御を行う手段と、電子番組表上の放送チャンネルのコードの新設及び／または変更が生じた場合には、接続される情報ネットワーク上の所定のサーバにアクセスしてテーブルの書き換えを行う手段とを備えることにより、電子番組表に掲載される放送チャンネルの新設や、電子番組表のサーバそのものの新設などに対しても、容易に対応することができるものである。
【００４１】
また、上述の情報処理装置によれば、電子番組表上の放送チャンネルのコードと受信のための受信チャンネルのコードとを読み替えるテーブルが設けられると共に、外部の情報ネットワークに接続する手段と、接続される情報ネットワーク上の所定のサーバに所定の時間ごとにアクセスしてサーバに書き込まれた情報に従って内部の制御を行う手段と、電子番組表上の放送チャンネルのコードの新設及び／または変更が生じた場合には、接続される情報ネットワーク上の所定のサーバにアクセスしてテーブルの書き換えを行う手段とを備えることにより、電子番組表に掲載される放送チャンネルの新設や、電子番組表のサーバそのものの新設などに対しても、容易に対応することができるものである。
【００４２】
また、上述の情報提供システムによれば、装置には電子番組表上の放送チャンネルのコードと受信のための受信チャンネルのコードとを読み替えるテーブルが設けられ、情報ネットワーク上にテーブルの書き換えを行うための情報を提供する所定のサーバを設置し、電子番組表上の放送チャンネルのコードの新設及び／または変更が生じた場合には、情報ネットワーク上の所定のサーバにアクセスしてテーブルの書き換えを行うことにより、電子番組表に掲載される放送チャンネルの新設や、電子番組表のサーバそのものの新設などに対しても、容易に対応することができるものである。
【００４３】
なお、上述の実施の形態では、記録メディアとしてハードディスク装置について説明したが、記録メディアには、ＤＶＤ（Ｄｉｇｉｔａｌ  Ｖｅｒｓａｔｉｌｅ  Ｄｉｓｃ）や，ブルーレイ（商標）や、ＭＳ（メモリースティック＝登録商標）、あるいはその他の未知の記録メディアを用いることができる。
【００４４】
また、上述の実施の形態では、チューナとして、地上波放送の受信チューナと衛星放送の受信チューナを実施の形態としたが、地上波デジタル放送の受信チューナなどのＥＰＧ機能を有するチューナ、あるいはその他の未知の受信チューナにも適用されるものであり、チューナの種類には限定されることのないものである。
【００４５】
さらに、本発明は、上述の説明した実施の形態に限定されるものではなく、本発明の精神を逸脱することなく種々の変形が可能とされるものである。
【００４６】
【発明の効果】
従って請求項１の発明によれば、電子番組表上の放送チャンネルのコードと受信のための受信チャンネルのコードとを読み替えるテーブルを設け、このテーブルを情報ネットワーク上の所定のサーバにアクセスして書き換えるようにしたことによって、電子番組表に掲載される放送チャンネルの新設や、電子番組表のサーバそのものの新設などに対しても、容易に対応することができるものである。
【００４７】
また、請求項２の発明によれば、電子番組表には複数の形式が含まれ、テーブルは電子番組表の形式に対応して設けられると共に、電子番組表上の放送チャンネルのコードの新設及び／または変更が生じた場合には、少なくとも対応する形式のテーブルの書き換えを行うことによって、複数の形式の電子番組表に対応して所望の番組の記録を行うことができるものである。
【００４８】
また、請求項３の発明によれば、電子番組表は、任意の放送チャンネルの放送信号に重畳されて伝送されるものと、情報ネットワーク上の所定のサーバから伝送されるものの１つ以上を含むことによって、これらの形式の電子番組表に応じて所望の番組の記録を行うことができるものである。
【００４９】
さらに請求項４の発明によれば、電子番組表上の放送チャンネルのコードと受信のための受信チャンネルのコードとを読み替えるテーブルを設け、このテーブルを情報ネットワーク上の所定のサーバにアクセスして書き換えるようにしたことによって、電子番組表に掲載される放送チャンネルの新設や、電子番組表のサーバそのものの新設などに対しても、容易に対応することができるものである。
【００５０】
また、請求項５の発明によれば、電子番組表には複数の形式が含まれ、テーブルは電子番組表の形式に対応して設けられると共に、電子番組表上の放送チャンネルのコードの新設及び／または変更が生じた場合には、少なくとも対応する形式のテーブルの書き換えを行うことによって、複数の形式の電子番組表に対応して所望の番組の記録を行うことができるものである。
【００５１】
また、請求項６の発明によれば、電子番組表は、任意の放送チャンネルの放送信号に重畳されて伝送されるものと、情報ネットワーク上の所定のサーバから伝送されるものの１つ以上を含むことによって、これらの形式の電子番組表に応じて所望の番組の記録を行うことができるものである。
【００５２】
さらに請求項７の発明によれば、電子番組表上の放送チャンネルのコードと受信のための受信チャンネルのコードとを読み替えるテーブルを設け、このテーブルを情報ネットワーク上の所定のサーバにアクセスして書き換えるようにしたことによって、電子番組表に掲載される放送チャンネルの新設や、電子番組表のサーバそのものの新設などに対しても、容易に対応することができるものである。
【００５３】
また、請求項８の発明によれば、電子番組表には複数の形式が含まれ、テーブルは電子番組表の形式に対応して設けられると共に、電子番組表上の放送チャンネルのコードの新設及び／または変更が生じた場合には、少なくとも対応する形式のテーブルの書き換えを行うことによって、複数の形式の電子番組表に対応して所望の番組の記録を行うことができるものである。
【００５４】
また、請求項９の発明によれば、電子番組表は、任意の放送チャンネルの放送信号に重畳されて伝送されるものと、情報ネットワーク上の所定のサーバから伝送されるものの１つ以上を含むことによって、これらの形式の電子番組表に応じて所望の番組の記録を行うことができるものである。
【００５５】
さらに請求項１０の発明によれば、電子番組表上の放送チャンネルのコードと受信のための受信チャンネルのコードとを読み替えるテーブルを設け、このテーブルを情報ネットワーク上の所定のサーバにアクセスして書き換えるようにしたことによって、電子番組表に掲載される放送チャンネルの新設や、電子番組表のサーバそのものの新設などに対しても、容易に対応することができるものである。
【００５６】
また、請求項１１の発明によれば、電子番組表には複数の形式が含まれ、テーブルは電子番組表の形式に対応して設けられると共に、電子番組表上の放送チャンネルのコードの新設及び／または変更が生じた場合には、少なくとも対応する形式のテーブルの書き換えを行うことによって、複数の形式の電子番組表に対応して所望の番組の記録を行うことができるものである。
【００５７】
また、請求項１２の発明によれば、電子番組表は、任意の放送チャンネルの放送信号に重畳されて伝送されるものと、情報ネットワーク上の所定のサーバから伝送されるものの１つ以上を含むことによって、これらの形式の電子番組表に応じて所望の番組の記録を行うことができるものである。
【００５８】
さらに請求項１３の発明によれば、電子番組表上の放送チャンネルのコードと受信のための受信チャンネルのコードとを読み替えるテーブルを設け、このテーブルを情報ネットワーク上の所定のサーバにアクセスして書き換えるようにしたことによって、電子番組表に掲載される放送チャンネルの新設や、電子番組表のサーバそのものの新設などに対しても、容易に対応することができるものである。
【００５９】
また、請求項１４の発明によれば、電子番組表には複数の形式が含まれ、テーブルは電子番組表の形式に対応して設けられると共に、電子番組表上の放送チャンネルのコードの新設及び／または変更が生じた場合には、少なくとも対応する形式のテーブルの書き換えを行うことによって、複数の形式の電子番組表に対応して所望の番組の記録を行うことができるものである。
【００６０】
また、請求項１５の発明によれば、電子番組表は、任意の放送チャンネルの放送信号に重畳されて伝送されるものと、情報ネットワーク上の所定のサーバから伝送されるものの１つ以上を含むことによって、これらの形式の電子番組表に応じて所望の番組の記録を行うことができるものである。
【００６１】
これによって、従来の装置では、放送信号に重畳されて伝送される電子番組表だけに対応してその他の電子番組表には対応できないものがあり、また、その他の電子番組表に対応している場合であっても、電子番組表に掲載される放送チャンネルの新設や、電子番組表のサーバそのものの新設などに対しては、対応することができなかったものを、本発明によればこれらの問題点を容易に解消することができるものである。
【図面の簡単な説明】
【図１】本発明による番組受信装置、番組受信方法、番組記録装置、情報処理装置及び情報提供システムの適用される番組記録装置の一実施形態の構成を示すブロック図である。
【図２】その放送チャンネルのコードと受信チャンネルのコードとを読み替えるテーブルの一実施形態の構成を示す線図である。
【図３】その処理動作の説明のためのフローチャート図である。
【図４】その説明のための電子番組表の画像を示す線図である。
【図５】その説明のための予約に関わる設定を行うための画像を示す線図である。
【符号の説明】
１…地上波放送の受信チューナ、２…制御ＣＰＵ、３…ハードディスク装置、４…混合器、１０…番組記録装置、１１…アンテナ端子、１２…アナログ入力端子、１３…データ入力端子、１４…出力端子、１５…リモートコントロール受信機、２０…地上波放送の受信アンテナ、２１…テーブルの設けられるメモリ領域、３０…衛星放送の受信アンテナ、３１…衛星放送の受信チューナ、４０…受像機、５０…リモートコントロール装置、１００…インターネット、２００…ウェブサーバ、３００…ポーリングサーバ
【図１】
2004336685.tif 000003
【図２】
2004336685.tif 000004
【図３】
2004336685.tif 000005
【図４】
2004336685.tif 000006
【図５】
2004336685.tif 000007